【手続補正書】
【提出日】平成21年7月24日(2009.7.24)
【手続補正１】
【補正対象書類名】特許請求の範囲
【補正対象項目名】請求項１３
【補正方法】変更
【補正の内容】
【請求項１３】
内部人工器官である、請求項１の装置。
【手続補正２】
【補正対象書類名】特許請求の範囲
【補正対象項目名】請求項１４
【補正方法】変更
【補正の内容】
【請求項１４】
複数のポリ酸塩を含む第１層と、
第１層上に位置する高分子電解質を含む第２層と
を備える内部人工器官。
【手続補正３】
【補正対象書類名】特許請求の範囲
【補正対象項目名】請求項１５
【補正方法】変更
【補正の内容】
【請求項１５】
複数の第１層と、複数の第２層とを備える、請求項１４に記載の内部人工器官。
【手続補正４】
【補正対象書類名】特許請求の範囲
【補正対象項目名】請求項１６
【補正方法】変更
【補正の内容】
【請求項１６】
前記第１層のうちの少なくとも２つは、１つ以上の第２層によって互いに離間されている、請求項１５に記載の内部人工器官。
【手続補正５】
【補正対象書類名】特許請求の範囲
【補正対象項目名】請求項１７
【補正方法】変更
【補正の内容】
【請求項１７】
ポリ酸塩は、強磁性体、常磁性体、反磁性体、および超常磁性体のいずれかである、請求項１４に記載の内部人工器官。
【手続補正６】
【補正対象書類名】特許請求の範囲
【補正対象項目名】請求項１８
【補正方法】変更
【補正の内容】
【請求項１８】
ポリ酸塩は、コバルト、鉄、マンガン、クロム、ニッケル、ルテニウム、銅、およびビスマスのうちから選択される元素を含む、請求項１４に記載の内部人工器官。
【手続補正７】
【補正対象書類名】特許請求の範囲
【補正対象項目名】請求項１９
【補正方法】変更
【補正の内容】
【請求項１９】
ポリ酸塩は、約０．５ｎｍ〜約５０ｎｍの少なくとも１つの寸法を有する、請求項１４に記載の内部人工器官。
【手続補正８】
【補正対象書類名】特許請求の範囲
【補正対象項目名】請求項２０
【補正方法】変更
【補正の内容】
【請求項２０】
ポリマーに包囲されたポリ酸塩を備える、内部人工器官。
【手続補正９】
【補正対象書類名】特許請求の範囲
【補正対象項目名】請求項２１
【補正方法】変更
【補正の内容】
【請求項２１】
前記ポリマーは、ポリピロール、ポリチオフェンおよびポリアニリンのうちから選択される、請求項２０に記載の内部人工器官。
【手続補正１０】
【補正対象書類名】特許請求の範囲
【補正対象項目名】請求項２７
【補正方法】変更
【補正の内容】
【請求項２７】
該装置は内部人工器官である、請求項２２に記載の方法。
【手続補正１１】
【補正対象書類名】特許請求の範囲
【補正対象項目名】請求項３４
【補正方法】変更
【補正の内容】
【請求項３４】
前記装置は内部人工器官である、請求項２８に記載の方法。
【手続補正１２】
【補正対象書類名】特許請求の範囲
【補正対象項目名】請求項４７
【補正方法】変更
【補正の内容】
【請求項４７】
内部人工器官である、請求項３５に記載の装置。
【手続補正１３】
【補正対象書類名】特許請求の範囲
【補正対象項目名】請求項５３
【補正方法】変更
【補正の内容】
【請求項５３】
内部人工器官である、請求項４８に記載の装置。
【手続補正１４】
【補正対象書類名】明細書
【補正対象項目名】０００２
【補正方法】変更
【補正の内容】
【０００２】
身体は、動脈、他の血管および他の体管腔のような様々な通路を備える。これらの通路は、時として、閉塞されたり、脆弱化されたりすることがある。例えば、通路は、腫瘍によって閉塞されたり、プラークによって狭められたり、または動脈瘤によって脆弱化されたりすることがある。これが生じた場合、その通路を、医療用内部人工器官によって、再開放または強化したり、あるいは置き換えたりさえすることができる。内部人工器官は、一般的には、身体内の管腔内に配置される管状部材である。内部人工器官の例としては、ステント、ステントグラフト、および被覆ステントが挙げられる。
【手続補正１５】
【補正対象書類名】明細書
【補正対象項目名】０００３
【補正方法】変更
【補正の内容】
【０００３】
内部人工器官を所望の部位へ移送する際には、大きさを圧縮または縮小した形態で内部人工器官を支持するカテーテルによって、内部人工器官を身体内部に搬送し得る。内部人工器官は、前記部位に到達すると、例えば、管腔の壁と接触し得るように、拡張される。
【手続補正１６】
【補正対象書類名】明細書
【補正対象項目名】０００４
【補正方法】変更
【補正の内容】
【０００４】
内部人工器官が身体内を通過して進められる場合、内部人工器官が標的部位に適切に搬送され得るように、その進行を、監視する、例えば、追跡することができる。内部人工器官を標的部位に搬送した後、内部人工器官が適切に配置されたか否か、さらに／または適切に機能しているか否かを判断するために、内部人工器官を監視することができる。
【手続補正１７】
【補正対象書類名】明細書
【補正対象項目名】００１０
【補正方法】変更
【補正の内容】
【００１０】
前記装置は内部人工器官であり得る。
別の態様において、本発明は、複数のポリ酸塩を有する第１層と、第１層上に位置する高分子電解質を含む第２層とを含む内部人工器官を特徴とする。
【手続補正１８】
【補正対象書類名】明細書
【補正対象項目名】００１１
【補正方法】変更
【補正の内容】
【００１１】
実施形態は、以下の特徴のうちの１つ以上を有し得る。内部人工器官は、複数の第１層と、複数の第２層とを有する。第１層のうちの少なくとも２つは、１つ以上の第２層によって、互いに離間されている。ポリ酸塩は、強磁性体、常磁性体、反磁性体、または超常磁性体である。ポリ酸塩は、コバルト、鉄、マンガン、クロム、ニッケル、ルテニウム、銅、およびビスマスのうちから選択される元素を有する。ポリ酸塩は、約０．５ｎｍ〜約５０ｎｍの少なくとも１つの寸法を有する。
【手続補正１９】
【補正対象書類名】明細書
【補正対象項目名】００１２
【補正方法】変更
【補正の内容】
【００１２】
別の態様において、本発明は、ポリマーに包囲されたポリ酸塩を含む内部人工器官を特徴とする。前記ポリマーは、ポリピロール、ポリチオフェンおよびポリアニリンのうちから選択することができる。
【手続補正２０】
【補正対象書類名】明細書
【補正対象項目名】００１４
【補正方法】変更
【補正の内容】
【００１４】
実施形態は、以下の特徴のうちの１つ以上を有し得る。前記方法は、複数の第１層および複数の第２層を形成する工程をさらに有する。第１層は高分子電解質を含む。ポリ酸塩は、強磁性体、反磁性体、常磁性体、または超常磁性体である。ポリ酸塩は、コバルト、鉄、マンガン、クロム、ニッケル、ルテニウム、銅、およびビスマスのうちから選択される元素を含む。前記装置は内部人工器官である。
【手続補正２１】
【補正対象書類名】明細書
【補正対象項目名】００１６
【補正方法】変更
【補正の内容】
【００１６】
実施形態は、以下の特徴のうちの１つ以上を有し得る。前記方法は、前記組成物を形成するために、モノマーを有する混合物を電解重合する工程を有する。前記ポリマーは、ポリピロール、ポリチオフェン、およびポリアニリンのうちから選択される。ポリ酸塩は、強磁性体、反磁性体、常磁性体、または超常磁性体である。ポリ酸塩は、コバルト、鉄、マンガン、クロム、ニッケル、ルテニウム、銅、およびビスマスのうちから選択される元素を含む。ポリ酸塩は、約０．５ｎｍ〜約５０ｎｍの少なくとも１つの寸法を有する。前記装置は、内部人工器官である。
【手続補正２２】
【補正対象書類名】明細書
【補正対象項目名】００１７
【補正方法】変更
【補正の内容】
【００１７】
別の態様において、本発明は、約０．５ｎｍ〜約５０ｎｍの少なくとも１つの寸法を有する複数の分子磁気クラスタを含む医療装置を特徴とする。
実施形態は、以下の特徴のうちの１つ以上を有し得る。前記クラスタはポリ酸塩を含む。前記装置は、磁気クラスタを有する層を備える。前記装置は、磁気クラスタを有する複数の層を備える。前記層のうちの少なくとも２つは、互いから離間されている。前記層のうちの少なくとも２つは、１つ以上の帯電層によって離間されている。１つ以上の帯電層は高分子電解質を含む。前記クラスタは、強磁性、常磁性体、反磁性、または超常磁性体である。前記クラスタは、ポリマーに包囲されている。前記ポリマーは、導電性ポリマーである。前記ポリマーは、ポリピロール、ポリチオフェン、およびポリアニリンのうちから選択される。前記装置は、磁気クラスタを有する層を備え、前記層は、第１層と第１層とは異なる第２層との間に位置し、第１層および第２層は、互いに共有結合した部分を有する。前記装置は、内部人工器官である。
【手続補正２３】
【補正対象書類名】明細書
【補正対象項目名】００１８
【補正方法】変更
【補正の内容】
【００１８】
別の態様において、本発明は、分子磁気クラスタを有する複数の第１層と荷電分子を有する複数の第２層とを有する多層構造を備える医療装置を特徴とする。
実施形態は、以下の特徴のうちの１つ以上を有し得る。前記分子磁気クラスタはポリ酸塩を含む。前記荷電分子は高分子電解質を含む。前記多層構造は、治療薬をさらに含む。前記多層構造は、ナノ粒子をさらに含む。前記装置は、内部人工器官である。
【手続補正２４】
【補正対象書類名】明細書
【補正対象項目名】００７１
【補正方法】変更
【補正の内容】
【００７１】
【図１】内部人工器官の実施形態を示す斜視図。
【図２】図１の２−２線における内部人工器官を示す断面図。
【図３】医療装置を製造する方法の実施形態を示すフローチャート。